(57)【特許請求の範囲】
【請求項１】
衛生設備空間を居住空間から区画する隔壁と、
前記隔壁の少なくとも一部と相対して設置される収納設備と、
前記隔壁と収納設備との間の空間もしくは前記収納設備の内側の空間の少なくとも何れかの収納空間に収納可能な引き戸と、
前記収納空間の最上部および前記収納空間の外側に延伸した部分に装着される鴨居を備え、
前記引き戸が、上部に装着されている戸車が前記鴨居に装着されているレールの上を走行することにより移動可能であり、前記収納空間の外側に引き出されたときに前記居住空間を仕切る間仕切りとして機能するように構成されていることを特徴とする、
衛生設備付き多機能家具。
【発明の詳細な説明】
【技術分野】
【０００１】
本発明は、衛生設備および収納設備を備えた家具に関する。
【背景技術】
【０００２】
従来、集合住宅は、一組の夫婦とその子供といういわゆる核家族を標準世帯とした２ＤＫ〜３ＬＤＫの間取りのものが主流であった。これらの住宅は在来木軸工法で建てられたものがほとんどであり、多くの柱や間仕切壁によって住宅内がいくつかの空間に仕切られている。日常生活の中で各空間は自ずと使用形態が限定されるようになり、例えば子供部屋として充てがわれた空間は子供が独立した後は全く使われないような状況にあることが多い。近年、世帯形態の変化やライフスタイルの多様化が顕著であり、従前の画一的な間取りの住宅に対する需要が乏しくなってきている。その結果、古い集合住宅では借り手のつかない空き部屋が大量に発生し、不良ストック化するという社会問題にまで発展している。
【０００３】
このような旧態化した住宅のうち立地条件の良い物件については、改修工事により柱や間仕切壁を取り払い、広いリビング空間を持つ住宅に再生させるという試みもなされている。しかし、このような試みも居室に関する部分的な改修のみに止まっている例が大部分であり、浴室、洗面台、トイレなどの衛生設備については新品に交換することはあっても設置場所を変えるような改修はほとんどなく、扉の位置をずらす程度の小改造で済まされている。
【０００４】
浴室等の衛生設備の設置場所の変更を可能にする手法として、例えば特許文献１には、共通の床パンを設置し、そこに全ての衛生設備からの排水を集約するという工法が提案されている。この工法によれば元の場所に捉われずに衛生設備を設置できるようになるため、改修工事の際の空間設計の自由度が高まるという利点がある。
【先行技術文献】
【特許文献】
【０００５】
【特許文献１】特開２０００−５４６６３号公報
【発明の概要】
【発明が解決しようとする課題】
【０００６】
不良ストック化が懸念される古い住居を今後も利用可能な優良ストックとして再生させることは、資産の有効活用という経済的な面だけではなく、限りある資源を有効活用し、持続可能な社会を実現するという環境政策的な面でも重要な意義のあることである。そのためには世帯形態の変化やライフスタイルの多様化などの外的要因の変化に柔軟に対応できるような居住空間を実現することが課題となる。このような居住空間を実現するためには、可能な限り柱や間仕切壁を取り除き、間取りが固定化されないオープンスペースとすることが理想的である。しかし居住空間には衛生設備のほかにもキッチン設備や収納設備のような大型の設備があり、これらについても元の位置に分散させたままというのではなく、機能を集約させるなどの手立てによりオープンスペースの利点が十分に生かされるようにすることが重要である。
【０００７】
本発明は、不良ストック化が懸念される古い居住空間をライフスタイルの変化に柔軟に対応できる優良ストックに再生させることを解決すべき課題としている。
【課題を解決するための手段】
【０００８】
前述した課題を解決するため、本発明は以下の手段を提供する。
【０００９】
本発明が提供する手段は、
衛生設備空間を居住空間から区画する隔壁と、
前記隔壁の少なくとも一部と相対して設置される収納設備と、
前記隔壁と収納設備との間の空間もしくは前記収納設備の内側の空間の少なくとも何れかの収納空間に収納可能な引き戸を備え、
前記収納空間の外側に引き出された前記引き戸が前記居住空間を仕切る間仕切りとして機能するように構成されていることを特徴とする、
衛生設備付き多機能家具である。
【００１０】
衛生設備付き多機能家具は、生活に最低限必要な衛生設備と収納設備を一体化し、従来、分散していたこれらの設備を集約化することにより、限られた居住空間を有効活用することができるようになり、居住者の様々な要求にもフレキシブルに対応することができるようになる。引き戸は収納可能であるため、必要に応じて間仕切りとして使用することにより、居住空間を独立した複数の空間に分割することが可能である。
【００１１】
衛生設備付き多機能家具は、間仕切りの要不要時の引き戸の移動を容易にするため、前記引き戸を前記隙間の内側と外側の間で連続的に移動させるための手段を備えることも可能である。
【発明の効果】
【００１２】
本発明によると、従来、分散して設置されていた衛生設備を集約化することにより、限られた居住空間を有効活用することができるようになる。引き戸は収納可能であるため、必要に応じて間仕切りとして使用することにより、居住者の様々な要求にもフレキシブルに対応することができるようになる。
【図面の簡単な説明】
【００１３】
【図１】衛生設備付き多機能家具を示す概観図
【図２】衛生設備付き多機能家具を示す平面図
【図３】衛生設備付き多機能家具を示す平面図
【図４】引き戸の一形態を示す概略図
【図５】引き戸の他の形態を示す概略図
【図６】衛生設備付き多機能家具の設置例を示す平面図
【図７】衛生設備付き多機能家具の設置例を示す平面図
【図８】衛生設備付き多機能家具の設置例を示す平面図
【図９】衛生設備付き多機能家具の設置例を示す平面図
【発明を実施するための形態】
【００１４】
以下、本発明の衛生設備付き多機能家具（以下、多機能家具という。）の実施形態について、図面を参照して説明する。
【００１５】
〔衛生設備付き多機能家具の概要〕
図１は、多機能家具の概観図である。多機能家具１０は、衛生設備１２、パネル１４、収納設備１６、引き戸１８によって構成される。多機能家具１０は集合住宅やオフィスビル、戸建て住宅等の屋内の居住空間の略中央もしくは何れかの壁寄りの位置に設置される。多機能家具１０は衛生機能と収納機能を併せ持つ多機能家具として外観上は箱型をなしており、同様に箱型をなすことの多い居住空間に非常に調和する。
【００１６】
衛生設備１２は、浴室やトイレ、洗面台、キッチン等の水回りに関する設備もしくはこれらの設備を組み合わせたものをいう。パネル１４の内側に形成される衛生設備空間の面積に応じて、例えば浴室のみ、浴室とトイレと洗面台など適宜の組み合わせで設置することができる。ここでは、衛生設備１２として洗面台２０、トイレ２２、洗濯機２４、ユニットバス２６を設置した例を示している。
【００１７】
パネル１４は、衛生設備空間を居住空間から区画する隔壁である。パネル１４は、衛生設備空間の側面を囲う側面パネル１４ａ、天井を覆う天井パネル１４ｂ、床面となる床面パネル１４ｃと、ユニットバスを囲うユニットバスパネル１４ｄにより構成される。このうち側面パネル１４ａには衛生設備空間への出入口となる扉２８が設けられている。ユニットバスパネル１４ｄは、ユニットバス２６への出入口となる扉３０が設けられているパネル以外の３面のパネルが、それぞれ対面する位置に配置された収納設備１６によって囲まれている。底面パネル１４ｃの下方には衛生設備の給水や排水を行うための配管が設けられる。
【００１８】
収納設備１６は、生活に必要な物、例えば電化製品や衣服、書籍、雑貨等を収納する規格化された家具の集合体として構成される。それぞれの家具は金具等を用いてお互いに連結され、さらにはパネル１４とも連結されることにより、これらの組み合わせで構成される多機能家具１０は柱や構造壁等を用いることなく自立することができる。
【００１９】
パネル１４ａ、１４ｂ、１４ｃには市販の建築用パネルを用いることができる。その他にも木製品等を用いることも可能であり、居住空間を構成する壁や天井、床と調和する材質やデザインのものを選択することができる。収納設備１６を構成する家具についても用途に応じて予め規格化された製品を用意しておくことにより、衛生設備空間の面積に対応した組み合わせを自由に選択できるようにしている。
【００２０】
多機能家具１０にはシステムキッチンを付加することもできる。システムキッチンは多機能家具１０と連結させて全体を一つの箱型にすることも可能であるし、多機能家具１０とは連結させずに独立したアイランド式の形態とすることもできる。
【００２１】
〔引き戸の構成〕
次に、多機能家具１０に備えられる引き戸１８について説明する。多機能家具１０の衛生設備１２と収納設備１６との間には所定の大きさの収納空間４０が設けられており、収納空間４０には引き戸１８が収納されている。引き戸１８は収納空間４０の内側と外側に移動可能であり、図４に示すように外側に引き出すことで居住空間を仕切る間仕切りとして機能する。間仕切りを必要としない場合は、図３に示すように収納空間４０に収納しておくことができる。
【００２２】
また収納設備１６の内側には、家具と家具の間に形成される所定の大きさの収納空間５０が設けられている。収納空間５０には引き戸１８が収納されている。引き戸１８は収納空間５０の内側と外側に移動可能であり、外側に引き出すことで居住空間を仕切る間仕切りとして機能する。間仕切りを必要としない場合は収納空間５０に収納しておくことができる。
【００２３】
図４および図５は引き戸の構成を示す概略図である。図４は敷居引き戸の構成を示している。敷居引き戸は、引き戸１８の下部に装着されている戸車６０が敷居となるレール６２の上を走行することにより移動できるように構成されている。レール６２は収納空間４０の内側から外側に向けて直線状に延伸し、居住空間の床面６４の上に敷設される。収納設備であるテレビ台とパネル１４の間の収納空間４０には２枚の引き戸１８が並列した状態で収納できる空間が形成される。収納設備と衛生設備は収納空間４０の最上部に装着されている鴨居６６を介して互いに連結されている。鴨居６６はレール６２と同様に収納空間４０の内側から外側に向けて直線状に延伸し、収納空間４０の外側に延伸した部分は天井に固定される。鴨居６６の下部には２本の並行する凹条６８が設けられている。この凹条６８には引き戸１８の上部に設けられている凸条７０が嵌合し、引き戸１８の移動方向を規制するとともに引き戸１８の揺れやブレを防止する。
【００２４】
図５は鴨居引き戸の構成を示している。鴨居引き戸は、引き戸１８の上部に装着されている戸車８０が鴨居８２に装着されているレール８４の上を走行することにより移動できるように構成されている。引き戸１８はレール８４により支持された状態となる。収納設備であるテレビ台とパネル１４の間の収納空間４０には２枚の引き戸１８が並列した状態で収納できる空間が形成される。収納設備と衛生設備は収納空間４０の最上部に装着されている鴨居８２を介して互いに連結されている。鴨居８２は収納空間３０の内側から外側に向けて直線状に延伸し、収納空間３０の外側に延伸した部分は天井に固定される。
【００２５】
敷居引き戸と鴨居引き戸の何れを選択するかは居住空間の諸条件や施主の嗜好に応じて自由に決定することができる。何れの引き戸であっても戸車６０、８０の作用により極めて軽い力で開け閉めすることができる。
【００２６】
引き戸の枚数は居住空間の広さに応じて適宜選択することができる。引き戸の枚数に応じて鴨居やレールの幅、隙間の大きさ等を調節する。
【００２７】
〔多機能家具の設置例〕
多機能家具が設置される居住空間は柱や間仕切り壁が存在しない、もしくは最小限の数量に抑えられた広がりのある空間である。図６乃至図９に示すように、多機能家具の周囲には自由に行き来することができる回遊空間が形成され、家族形態の変化やライフスタイルの変化に応じて回遊空間を自由にアレンジすることができる。多機能家具に装備される引き戸は通常時は収納空間に収納しておくことにより、多機能家具は張り出し部分のないスクエアな形態を維持することができ、周囲には回遊空間が形成される。来客時や就寝時など間仕切り機能が必要なときには収納空間から引き出すだけで簡単に対応することができる。
【符号の説明】
【００２８】
１０  衛生設備付き多機能家具
１２  衛生設備
１４  パネル
１６  収納設備
１８  引き戸
２０  洗面台
２２  トイレ
２４  洗濯機
２６  ユニットバス
４０  収納空間
５０  収納空間
【図１】
0006525429.tif 000002
【図２】
0006525429.tif 000003
【図３】
0006525429.tif 000004
【図４】
0006525429.tif 000005
【図５】
0006525429.tif 000006
【図６】
0006525429.tif 000007
【図７】
0006525429.tif 000008
【図８】
0006525429.tif 000009
【図９】
0006525429.tif 000010